(57)【要約】【課題】  操作ボタンが、天面と前面とが露出するように基台部に抜け止めされるとともに上下可動に設けられ、電気器具であっても、操作ボタン自体が前面側に転ぶことがなく、スムーズな上下動をさせることができる電気器具を提供する。【解決手段】  天面４と、天面４の対向する二辺から垂下される２つの側面５１、５２と、側面５１、５２と略直交するように天面４の対向する二辺から垂下される前面６及び後面７と、を有する操作ボタン２が、天面４と前面６とが露出するように基台部３に抜け止めされるとともに上下可動に設けられ、電気器具１であって、操作ボタン２の側面５１、５２のうち、前面６及び後面７の近傍に基台部３と操作ボタン２との係り合い部８１、８２、８３、８４が設けられている。【選択図】図１
2007005220.tif 000002
【特許請求の範囲】
【請求項１】
天面と、天面の対向する二辺から垂下される２つの側面と、側面と略直交するように天面の対向する二辺から垂下される前面及び後面と、を有する操作ボタンが、天面と前面とが露出するように基台部に抜け止めされるとともに上下可動に設けられ、電気器具であって、操作ボタンの側面のうち、前面及び後面の近傍に基台部と操作ボタンとの係り合い部が設けられていることを特徴とする電気器具。
【発明の詳細な説明】
【技術分野】
【０００１】
本発明は、天面と、天面の対向する二辺から垂下される２つの側面と、側面と略直交するように天面の対向する二辺から垂下される前面及び後面と、を有する操作ボタンが、天面と前面とが露出するように基台部に抜け止めされるとともに上下可動に設けられ、電気器具に関するものである。
【背景技術】
【０００２】
従来から、天面と、天面の対向する二辺から垂下される２つの側面と、側面と略直交するように天面の対向する二辺から垂下される前面及び後面と、を有する操作ボタンが、天面と前面とが露出するように基台部に抜け止めされるとともに上下可動に設けられ、電気器具として、特開平５−２８３１７０号公報（特許文献１）に記載されているものが知られている。
【０００３】
これは、操作ボタンである押しボタンスイッチが、基台部に抜け止めされるとともに上下可動に設けられ、もので、操作ボタンの内部に備えられたスイッチノブがスプリングに挿入されることで基台部と係り合っており、これにより押しボタンスイッチが押圧され、さらに除圧されると、元に戻るように上下動してなる。
【特許文献１】特開平５−２８３１７０号公報
【発明の開示】
【発明が解決しようとする課題】
【０００４】
しかしながら、上記構成では、押しボタンスイッチの押圧及び除圧による上下動を支持するものがスプリングとスイッチノブとの係り合いのみであるため、押圧箇所によってはスプリングが傾斜（いわゆる首振り運動）することがあり、これによりスムーズな上下動ができなくなる可能性があった。
【０００５】
特許文献１に記載の発明では、操作ボタンの略半分が基台部側に収容される構造となっており、この部分の外周を基台部でガイドされるので、押圧個所による操作ボタンの首振り移動は防止されているが、操作ボタンの設置位置が基台部の天面内方に限定され、基台部の上方に操作用のスペースが必要となるなど構造上の制約となるという問題があった。
【０００６】
一方、基台部の前面側に臨んで操作ボタンを設ければ、スペースの問題は解消するが、操作ボタンの前面をガイドすることができず、押圧個所によっては前方に首振り移動してしまい、円滑な操作ができないという可能性もあった。
【０００７】
本願発明は、上記背景技術に鑑みてなされたものであり、その課題は、操作ボタンが、天面と前面とが露出するように基台部に抜け止めされるとともに上下可動に設けられ、電気器具であっても、操作ボタン自体が前面側に転ぶことがなく、スムーズな上下動をさせることができる電気器具を提供することである。
【課題を解決するための手段】
【０００８】
上記課題を解決するために、本願発明は、天面と、天面の対向する二辺から垂下される２つの側面と、側面と略直交するように天面の対向する二辺から垂下される前面及び後面と、を有する操作ボタンが、天面と前面とが露出するように基台部に抜け止めされるとともに上下可動に設けられ、電気器具であって、操作ボタンの側面のうち、前面及び後面の近傍に基台部と操作ボタンとの係り合い部が設けられていることを特徴とする電気器具である。
【発明の効果】
【０００９】
本願発明によれば、操作ボタンの側面のうち、前面及び後面の近傍に設けられたの２箇所の係り合い部で、基台部と操作ボタンとが係り合っているので、操作ボタンの押圧箇所によらず、スプリングの傾斜が抑制され、操作ボタン自体が前面側に転ぶことがなく、スムーズな上下動をさせることができる。
【００１０】
さらに、操作ボタン自体が前面側に転ぶことがなくなるため、前面側に臨んで設置することが可能となり、基台部の上方の操作スペースが少なくてすみ、構造上の制約を少なくでき、意匠的な自由度を上げることができる。
【発明を実施するための最良の形態】
【００１１】
本願の請求項１に対応した電気器具１の一実施形態を図１から図３により説明する。
【００１２】
本実施形態の電気器具１は、天面４と、天面４の対向する二辺から垂下される２つの側面５１、５２と、側面５１、５２と略直交するように天面４の対向する二辺から垂下される前面６及び後面７と、を有する操作ボタン２が、天面４と前面６とが露出するように基台部３に抜け止めされるとともに上下可動に設けられ、電気器具１であって、操作ボタン２の側面５１、５２のうち、前面６及び後面７の近傍に基台部３と操作ボタン２との係り合い部８１、８２、８３、８４が設けられていることを特徴とする。
【００１３】
以下、本実施形態による電気器具１の構成を、図１から図３に基づいて、より具体的詳細に説明する。
【００１４】
電気器具１は、図３に示すごとく、操作ボタン２と、基台部３と、を備えてなる照明器具であり、片口金蛍光灯を光源としてこれを灯具に備えてなるデスクスタンドと称されるものである。
【００１５】
操作ボタン２は、薄肉板状の天面４と、天面４の対向する二辺から垂下される２つの薄肉板状の側面５１、５２と、側面５１、５２と略直交するように天面４の対向する二辺から垂下される薄肉半円状の前面６及び薄肉板状の後面７と、を有する天面４に対向する面が開放された箱状体である。
【００１６】
ここで、側面５１、５２には、前面６の近傍に、基台部３に取付けられた場合に、基台部３に臨む辺から天面４に向かって切り込まれたスリット形状の係合い部８１、８２が設けられている。
【００１７】
また、側面５１、５２には、後面７の近傍に、側面５１、５２の外方に向かって凸状に折り曲げ加工された山形状の係り合い部８３，８４が設けられている。なお、折り曲げ加工を容易にするために切り込み加工が適宜施されている。
【００１８】
また、側面５１、５２には、係り合い部８１、８２の近傍に天面４から離れる方向に延出された薄板状で先端部に外方へ突出する爪片を供えた取付け部９１、９２が設けられている。
【００１９】
また天面４の後面７の側に、図示しないスプリングに係り合うボス１０が凸設されている。
【００２０】
基台部３は、上側と前側とが開放され、操作ボタン２が取付けられる凹部３４を有しており、凹部３４の前側に垂設される薄板凸状の係り合い片３１と、凹部３４の後側である奥面３５の近傍に設けられた溝部３２、３３と、が設けられている。
【００２１】
また凹部３４の内部には図示しないスプリングが備えられており、スプリングの一端に図示しない接点部があり、これに対する押圧で電気器具１への電源供給が制御される。
【００２２】
操作ボタン２は、取付け部９１、９２を差し込むように基台部３の凹部３４に挿入される。取付け部９１、９２は基台部３の内部に設けられる図示しない被取付け部に取付けられることで、上下方向に外れないように上下動が規制されることとなる。
【００２３】
また操作ボタン２の係り合い部８１、８２と、基台部３の係り合い片３１とが係り合い、係り合い部８３、８４と、溝部３２、３３とが係り合うこととなる。
【００２４】
従って、上記実施形態によれば、操作ボタン２の側面５１、５２のうち、前面６及び後面７の近傍に設けられた２箇所の係り合い部８１、８２、８３、８４で、基台部３と操作ボタン２とが係り合っているので、操作ボタン２の押圧箇所によらず、スプリングの傾斜が抑制され、操作ボタン２自体が前面側に転ぶことがなく、スムーズな上下動をさせることができる。
【００２５】
さらに、操作ボタン２自体が前面側に転ぶことがなくなるため、前面側に臨んで設置することが可能となり、基台部３の上方の操作スペースが少なくてすみ、構造上の制約を少なくでき、意匠的な自由度を上げることができる。
【００２６】
なお、本実施形態では、係り合い部８１、８２はスリット形状であり、係り合い片３１は薄板凸状であるが、両者の形状が逆、すなわち係り合い部８１、８２が凸状で、基台部３にスリット形状があるものであっても構わない。同様に、係り合い部８３、８４は山形状であり、溝部３２、３３は溝形状であるが、両者の形状が逆、すなわち係り合い部８３、８４は溝形状で、基台部３に山形状があるものであっても構わない。
【００２７】
また、本実施形態では前面６は外方に膨らんだ半円状であるが、平面であっても、内方に膨らんだ半円状であっても構わない。
【図面の簡単な説明】
【００２８】
【図１】本願発明の一実施形態における操作ボタンの基台部への取付け斜視図。
【図２】本願発明の一実施形態における、（ａ）操作ボタン及び基台部の平面図、（ｂ）そのＡ−Ａ断面図。
【図３】本願発明の一実施形態における電気器具の斜視図。
【符号の説明】
【００２９】
１      電気器具
２      操作ボタン
３      基台部
４      天面
５１    側面
５２    側面
６      前面
７      後面
８１    係り合い部
８２    係り合い部
８３    係り合い部
８４    係り合い部
【図１】
2007005220.tif 000003
【図２】
2007005220.tif 000004
【図３】
2007005220.tif 000005